(57)【特許請求の範囲】
【請求項１】
流動層炉内に流動層を充填し、この流動層内に搬送手段を閉路された状態で埋設し、且つ、前記流動層を遠赤外線発生物質にしたことを特徴とする流動層用搬送装置において、前記流動層炉の端部に上端開口を開閉可能に形成するとともに前記流動層炉における前記上端開口の内側に邪魔板を垂設し、その先端部を前記流動層に侵入させたことを特徴とする流動層用搬送装置。
【請求項２】
請求項１の流動層用搬送装置において、前記流動層炉の外側面に空間を介してカバー板を設置するとともにこの空間の下方に流動媒体収容器を設置し、前記流動層炉から前記空間内に溢れでた流動媒体を下方の流動媒体収容器へ落下させることを特徴とする流動層用搬送装置。
【発明の詳細な説明】
【０００１】
【発明の属する技術分野】
この発明は流動層用搬送装置に関し、搬送目的物を加熱しながら搬送する場合に使用するものである。
【０００２】
【従来の技術】
従来におけるこの種の搬送装置は図３に示すように、雰囲気炉80内に搬送用コンベア90が設置され、ガスバーナー91,91 によって雰囲気炉80内の空気を加熱し、前記コンベア90に搬送目的物Ｂを載置してこの雰囲気炉80内を通過させながら加熱していた。
【０００３】
【発明が解決しようとする課題】
しかしながら、かかる従来の加熱装置にあっては、加熱媒体が熱伝導率の悪い空気であるため、搬送目的物および搬送用コンベアを加熱しにくく、
この結果、搬送しながら搬送目的物を目的の温度に加熱しにくいという不都合を有した。
【０００４】
この発明の課題はこれらの不都合を解消することである。
【０００５】
【課題を解決するための手段】
この課題を達成するために、この発明に係る流動層用搬送装置においては、流動層炉内に流動層を充填し、この流動層内に搬送手段を閉路された状態で埋設し、且つ、前記流動層を遠赤外線発生物質にしたことを特徴とする流動層用搬送装置において、前記流動層炉の端部に上端開口を開閉可能に形成するとともに前記流動層炉における前記上端開口の内側に邪魔板を垂設し、その先端部を前記流動層に侵入させたため、搬送目的物及び搬送手段は蓄熱量の高い流動層によって加熱され、搬送中に目的の温度に加熱されやすいとともに前記流動層内の流動層の遠赤外線効果によって前記搬送目的物をその芯部からも加熱することができその加熱効果は向上する。さらに、前記流動層炉の端部に上端開口を開閉可能に形成するとともに前記流動層炉における前記上端開口の内側に邪魔板を垂設し、その先端部を前記流動層に侵入させたため、前記上端開口を開放したとき流動層内の熱が逃げるのを防止することができる。
【０００６】
なお、前記流動層炉の外側面に空間を介してカバー板を設置するとともにこの空間の下方に流動媒体収容器を設置し、前記流動層炉から前記空間内に溢れでた流動媒体を下方の流動媒体収容器へ落下させるようにしたため、過剰になった流動媒体を散逸することなく前記収容器に集めることができる。
【０００７】
【発明の実施の形態】
図１はこの発明に係る流動層用搬送装置の断面図、図２は図１におけるII線断面図である。
【０００８】
図１及び図２において、Ｍは加熱装置、10はその流動層炉である。この流動層炉10内には流動層２が充填されている。11,11 は上端開口であり、前記流動層炉10のに形成されている。これらの上端開口11,11 はクレーン33,34 が前記流動層炉10内に出入するためのものである。12,12 はスライド蓋であり、前記上端開口11,11 に設置され、スライドすることによって前記上端開口11,11 を開閉する。また、18,18 は邪魔板であり、前記流動層炉10において垂設されている。この邪魔板18の先端部は流動層２に侵入しており、前記上端開口11を開放したとき、流動層10内の熱が逃げるのを防いでいる。なお、19,19,…は透孔であり、前記流動層炉10の側壁上部に形成されている。この透孔19の機能は後記する。
【０００９】
14は加熱空気供給管であり、前記流動層炉10の下端部に設けられてる。この加熱空気供給管14の供給孔15,15,…から加熱ガスが前記流動層炉10内に流入される。ここに、流動層２はアルミナ，シリカあるいはジルコニア単体もしくはこれらの混合物であり、その粒径は５０〜５００μｍである。このため、この流動層２は比熱が高いととともに遠赤外線が出やすいものである。16,16,…は加熱ガス泡であり、前記流動層２内を上方に向かって移動する。なお、前記流動層炉10における前記流動層２の上部は空気雰囲気になっている。
【００１０】
次に、30は搬送用コンベア（この発明の「搬送手段」に相当する）であり、前記流動層炉10内の一端から他端にわたって埋設されている。この搬送用コンベア30は所要数のローラー31,31,…とこれらに巻き掛けられた搬送用ベルト32とから構成されている。Ｂは搬送目的物であり、前記搬送用ベルト32に載置されている。この搬送目的物Ｂはクレーン33の作動によって前記流動層２に埋没され前記搬送用ベルト32に載置される（図１における流動層炉10の左端部を参照のこと）。この状態で、前記搬送用コンベア30を駆動させ、前記搬送目的物Ｂを右方向に移動しながら流動層２中で加熱する。そして、この流動層炉10の右端に到着したとき、クレーン34の作動によって前記搬送目的物Ｂを吊り上げ、流動層２ひいては流動層炉10から引き出す。
【００１１】
50はカバー板であり、前記流動層炉10の外側面を空間Ｓを介して覆っている。この空間Ｓは、前記透孔（流動層炉10の）19から溢れでた流動媒体21を下方へ落下するのをガイドしている。60,60 は漏斗部材であり、前記カバー板50の下端縁に連設されている。この漏斗部材60は前記空間Ｓを落下してきた流動媒体21を集め、下方の収容器70に収容する。なお、61は漏斗部材60に連設された補助筒であり、上端および下端に各々スライド板62,63 を備えている。そして、上のスライド板62を閉じた状態で漏斗部材60の中心部に流動媒体21を集めた後、下のスライド板63を閉めた後上のスライド板62を開け、下のスライド板63の上に流動媒体21を蓄積させる。その後、下のスライド板63を開放することによって、この流動媒体21を下方の収容器70に落下させる。このような機構を採用することにより、中子付鋳造物を熱処理した場合に中子崩壊によって過剰になった流動媒体21を散逸することなく前記収容器70に集めることができる。
【００１２】
【発明の効果】
この発明に係る流動層用搬送装置は、流動層炉内に流動層を充填し、この流動層内に搬送手段を閉路された状態で埋設し、且つ、前記流動層を遠赤外線発生物質にしたことを特徴とする流動層用搬送装置において、前記流動層炉の端部に上端開口を開閉可能に形成するとともに前記流動層炉における前記上端開口の内側に邪魔板を垂設し、その先端部を前記流動層に侵入させたため、搬送目的物及び搬送手段は蓄熱量の高い流動層によって加熱され、搬送中に目的の温度に加熱されやすいとともに前記流動層内の流動層の遠赤外線効果によって前記搬送目的物をその芯部からも加熱することができる。さらに、前記流動層炉の端部に上端開口を開閉可能に形成するとともに前記流動層炉における前記上端開口の内側に邪魔板を垂設し、その先端部を前記流動層に侵入させたため、前記上端開口を開放したとき流動層内の熱が逃げるのを防止することができる。
【００１３】
よって、この流動層用搬送装置を使用すれば搬送中に搬送目的物は目的とする温度に加熱しやすいとともに流動層内の熱が逃げるのを防止することができるものである。
【００１４】
なお、前記流動層炉の外側面に空間を介してカバー板を設置するとともにこの空間の下方に流動媒体収容器を設置し、前記流動層炉から前記空間内に溢れでた流動媒体を下方の流動媒体収容器へ落下させるようにしたため、過剰になった流動媒体を散逸することなく前記収容器に集めることができる。
【図面の簡単な説明】
【図１】  図１はこの発明に係る流動層用搬送装置の断面図である。
【図２】  図２は図１におけるII線断面図である。
【図３】  図１に相当する従来例の図である。
【符号の説明】
10  …  流動層炉
11  …  上端開口
18  …  邪魔板
２  …  流動層
30  …  搬送用コンベア（搬送手段）
50  …  カバー板
70  …  流動媒体収容器
Ｓ  …  空間
【図１】
0004391665.tif 000002
【図２】
0004391665.tif 000003
【図３】
0004391665.tif 000004